(57)【特許請求の範囲】
【請求項１】
外部と画像情報を送受信して通信可能な通信部と、開閉可能で画像を読取る画像読取部と、印刷画像を形成する画像形成部を備え、画像の読取りおよび印刷可能な画像入出力装置であって、
前記各部にそれぞれ独立して電力を供給できる電力供給部と、
前記画像読取部の開閉を検出する検出部と、
前記画像読取部が閉じた状態でかつ画像情報の受信がない待機状態を計測するタイマ部と、を備え、
前記待機状態が第１の所定の時間を経過したときは前記画像形成部への電力供給を停止する第２の省電力モードとし、さらに前記待機状態が第２の所定の時間を経過したとき、または、前記検出部により前記画像読取部が開いた状態を検出したときは、前記通信部と前記検出部のみに電力を供給する第３の省電力モードとするようにしたことを特徴とする画像入出力装置。
【請求項２】
省電力モードから通常の電力供給モードへの復帰を指示するキースイッチを備え、
前記画像情報の受信があったとき、または当該キースイッチが押下されたときは、前記検出部により前記画像読取部が開いた状態か否かにより、前記第３の省電力モードから前記通常の電力供給モードまたは前記第１の省電力モードとするようにしたことを特徴とする請求項１記載の画像入出力装置。
【請求項３】
外部と画像情報を送受信して通信可能な通信部と、開閉可能で画像を読取る画像読取部と、印刷画像を形成する画像形成部を備え、画像の読取りおよび印刷可能な画像入出力装置であって、
前記各部にそれぞれ独立して電力を供給できる電力供給部と、
前記画像読取部の開閉を検出する検出部と、
前記画像読取部が閉じた状態でかつ画像情報の受信がない待機状態を計測するタイマ部と、を備え、
前記待機状態が第１の所定の時間を経過したときは前記画像形成部への電力供給を停止する第２の省電力モードとし、さらに前記待機状態が第２の所定の時間を経過したとき、または、前記検出部により前記画像読取部が開いた状態を検出したときは、前記通信部と前記画像読取部と前記画像形成部と前記検出部のうち前記通信部と前記検出部のみに電力を供給する第３の省電力モードとするようにしたことを特徴とする画像入出力装置。
【発明の詳細な説明】
【技術分野】
【０００１】
本発明は、画像の読取りおよび印刷可能な画像入出力装置に関するものである。
【背景技術】
【０００２】
近年、スキャナ部やプリンタ部等を搭載し画像読取機能、画像形成機能などを搭載したマルチファンクションプリンタとしての画像入出力装置が開発され、製品化され始めている。
【０００３】
そして、この種の装置では、プリンタ部の上にスキャナ部を配置させた構成となっており、プリンタ部やスキャナ部のメンテナンスを行うために、スキャナ部全体を開くことができるようになっている（例えば、特許文献１参照）。
【先行技術文献】
【特許文献】
【０００４】
【特許文献１】特開２００８−１５２０５０号公報
【発明の概要】
【発明が解決しようとする課題】
【０００５】
しかしながら、上記従来の画像入出力装置では、スキャナ部を開き、その操作ができない状態となっているにもかかわらず、スキャナ部への電源供給はそのまま継続され、無駄な電力が消費されていた。
【課題を解決するための手段】
【０００６】
本発明は、前述の課題を解決するため次の構成を採用する。すなわち、開閉可能で画像を読取る画像読取部と、印刷画像を形成する画像形成部を備え、画像の読取りおよび印刷可能な画像入出力装置であって、前記各部にそれぞれ独立して電力を供給できる電力供給部と、前記画像読取部の開閉を検出する検出部と、を備え、前記検出部により前記画像読取部が開いた状態を検出したときは、前記画像読取部への電力供給を停止する第１の省電力モードとするようにした。
【発明の効果】
【０００７】
本発明の画像入出力装置によれば、開閉可能で画像を読取る画像読取部と、印刷画像を形成する画像形成部を備え、画像の読取りおよび印刷可能な画像入出力装置であって、前記各部にそれぞれ独立して電力を供給できる電力供給部と、前記画像読取部の開閉を検出する検出部と、を備え、前記検出部により前記画像読取部が開いた状態を検出したときは、前記画像読取部への電力供給を停止する第１の省電力モードとするようにしたので、無駄な消費電力を削減することができる。
【図面の簡単な説明】
【０００８】
【図１】実施例１の画像入出力装置の構成図である。
【図２】実施例１の画像入出力装置の機能ブロック図である。
【図３】実施例１の画像入出力装置の機能ブロック図である。
【図４】実施例１の画像入出力装置の動作説明図である。
【図５】実施例１の画像入出力装置の動作フローチャート図である。
【図６】実施例２の画像入出力装置の機能ブロック図である。
【図７】実施例２の画像入出力装置の機能ブロック図である。
【図８】実施例２の画像入出力装置の動作フローチャート図である。
【発明を実施するための形態】
【０００９】
以下、本発明に係わる実施の形態例を、図面を用いて説明する。図面に共通する要素には同一の符号を付す。
【実施例１】
【００１０】
（構成）
図１は、実施例１の画像入出力装置の構成を示す外観斜視図である。同図において、画像入出力装置１の上部には後述の画像読取部１２に相当するスキャナ部５が配置されており、上部前面には、コピー印刷などの開始指示や印刷枚数、濃度、サイズ等の設定などの各種の設定操作を行う操作部２が配置されている。
【００１１】
また、画像入出力装置１の下部には複数段の給紙カセット３ が設けられ、それぞれの取手を持って給紙カセット３を手前に引き出すことができる。また、画像入出力装置１中段には後述の画像形成部１４に相当するプリンタ部６が設けられ、その上に排紙部４が設けられ、給紙カセット３から給紙され、画像形成が行われた用紙は排紙部４に出力される。
【００１２】
図２は、実施例１の画像入出力装置１の機能構成を示す機能ブロック図である。同図に示したように、実施例１の画像入出力装置１は、スキャナ部５に対応する画像読取装置１２、プリンタ部６を構成する制御部１３および画像形成部１４、電力供給部１５、検出部１６とから構成されている。
【００１３】
そして、画像読取部１２はセットされた原稿を読み取って画像情報を取得する機能を有し、画像形成部１４は制御部１３の制御により受信した画像情報に基づいて印刷を行う機能を有する。
【００１４】
電力供給部１５は、画像入出力装置１内の各部にそれぞれ独立して電力を供給できようになっており、電力を各部すべてに供給する通常の電力供給モードと、画像読取部１２への電力供給を停止する第１の省電力モードを有する。
【００１５】
画像読取部１２、すなわちスキャナ部５は図１の操作部２側が開く機構となっており、検出部１６は画像読取部１２の開閉状態を検出する機能を有する。
【００１６】
制御部１３は、電力供給部１５に対して省電力モードの切り替えを指示する判断部１３ａを有する。例えば、検出部１６にてスキャナ部５が開かれていると判断部１３ａにて判断した場合は、電力供給部１５に対し前記第１の省電力モードに切り替えるように指示する。
【００１７】
次に、図２の機能構成をさらに詳細な構成として示した図３の画像入出装置１の機能ブロック図を用いてさらに詳細に実施例１の画像入出装置１の機能構成を以下説明する。
【００１８】
画像入出力装置１の各部の制御及び画像情報の流れの管理等は制御部１３のＣＰＵ２２にて行われ、その制御プログラムデータはプログラム用ＲＯＭ２３内に格納されている。
【００１９】
また、データ蓄積用メモリ２４は、画像情報を格納するためのメモリであり、装置設定情報格納用メモリ２５は、画像入出力装置の動作パラメータ、例えば、前記省電力モードへの移行を示すパラメータ等を格納するためのメモリで、ＣＰＵ２２が必要な情報をアドレス／データバス２６を介して読出し、格納する。
【００２０】
ＣＰＵ２２は、図２の制御部１３の判断部１３ａに相当し、前記各省電力モードへの切り替えの指示を電力供給部１５の電源部３０に対して行う。
【００２１】
電源部３０は、画像入出力装置１内の各部にそれぞれ独立して電力を供給できるようになっており、各部すべてに電力を供給する通常の電力供給モードと、画像読取部１２への電力供給を停止する第１の省電力モードを設定できるようになっている。この省電力モードへの切り替えは、ＣＰＵ２２の指示に従い行う。
【００２２】
スキャナユニット２９は、スキャナインタフェイス部２８を介してＣＰＵ２２と通信処理が可能となっており、ＣＰＵ２２の指示に基づいてスキャナ部５の上部にセットされた原稿を読み取り、画像情報を取得する。このスキャナユニット２９およびスキャナインタフェイス部２８は前述の画像読取部１２を構成する。
【００２３】
プリンタエンジンインタフェイス部３１は、ＣＰＵ２２の指示に従って、画像情報をプリンタエンジン３２に転送したり、制御信号の送受信を行うインタフェイス回路である。プリンタエンジン３２は受信した画像情報に基づいて、印刷用の用紙に印刷を行う。このプリンタエンジンインタフェイス部３１およびプリンタエンジン３２は前述の画像形成部１４を構成する。
【００２４】
センサ２７は、前述の検出部１６を構成し、スキャナユニット２９の開閉を検出するもので、その情報はＣＰＵ２２が読み出す。
【００２５】
（動作）
以上の構成により実施例１の画像入出力装置１は以下のように動作する。まず、図４の実施例１の画像入出力装置１の動作説明図を用いて、スキャナユニット２９の開閉動作を説明する。
【００２６】
図４（ａ）は、プリンタエンジン３２の上に設けられたスキャナユニット２９が閉じた状態で、センサ２７はこの状態のときはセンサオンを検出し、図４（ｂ）は、スキャナユニット２９が矢印Ａのように開いた状態で、センサ２７はこの状態のときはセンサオフを検出する。
【００２７】
次に、実施例１の画像入出力装置１の動作を図５の動作フローチャート図を用いてさらに詳細に説明する。
【００２８】
まず、画像入出力装置１の電源がオンされると（ステップＳ０１）、電源部３０が装置内各部に電力供給を行う。そして、ＣＰＵ２２は各周辺ＬＳＩの初期設定、各メモリの初期化を行い、プリンタエンジンインタフェイス部３１を介して印刷準備制御を行う。
【００２９】
そして、ＣＰＵ２２は、スキャナインタフェイス部２８を介してスキャナユニット２９との通信を可能とし、画像入出力装置１は待機状態となる（ステップＳ０２）。この状態が通常の電力供給モードである。
【００３０】
次に、ＣＰＵ２２はセンサ２７を監視し、センサがオンの状態のままであれば、図４（ａ）の状態のようにスキャナユニット２９が閉じられていると判断し、そのまま監視を続ける。
【００３１】
そして、センサ２７がオフの状態となったときは、図４（ｂ）の状態のようにスキャナユニット２９が開いたと判断し（ステップＳ０３）、ＣＰＵ２２は、電源部３０を制御して、画像読取部１２、すなわちスキャナインタフェイス部２８とスキャナユニット２９への電力供給を遮断する（ステップＳ０４）。この状態が第１の省電力モードである。
【００３２】
この状態でも、スキャナインタフェイス部２８とスキャナユニット２９の画像読取部１２以外への電力供給は行われているため、電力供給されている各部は動作可能となっている。
【００３３】
そして、ＣＰＵ２２はセンサ２７を監視し（ステップＳ０５）、センサ２７がオフのままであれば、スキャナユニット２９が開いたままであると判断し、そのまま監視を続け、一方、センサ２７がオンとなったときは、スキャナユニット２９が閉じられたと判断し、ＣＰＵ２２は電源部３０を制御して、画像読取部１２を構成するスキャナインタフェイス部２８とスキャナユニット２９への電力供給を再開し（ステップＳ０６）、装置内各部すべてに電力を供給し、装置内各部すべてが動作可能となる。この状態は通常の電力供給モードであり、この状態にてステップＳ０３に戻り、以降同様に繰り返す。
【００３４】
以上のように、スキャナユニット２９が開けられスキャナ操作を行うことができない状態となったときはスキャナユニットへの電力供給を停止するようにし、他のユニットには電力を供給できるようにしたので、消費電力を少なくすることができるうえ、他の、例えば読み取った画像を印刷する画像形成等の動作は実行することができる
【００３５】
（実施例１の効果）
以上詳細に述べたように、実施例１の画像入出力装置によれば、スキャナユニットの開閉を検出するセンサと、装置内各部にそれぞれ独立して電力を供給できる電力供給部を備え、スキャナユニットが開いた状態を検出したときは、画像読取部への電力供給を停止するようにしたので、無駄な消費電力を削減することができる。
【実施例２】
【００３６】
（構成）
実施例２の画像入出力装置の機能ブロック図を図６および図７に示す。同図に示したように実施例２の画像入出力装置では、実施例１の画像入出力装置の制御部１３内にタイマ部１３ｂを追加した構成となっている。すなわち、ＣＰＵ２２にタイマ２２ａを内蔵し、所定時間の計測を可能としている。
【００３７】
また、電力供給部１５内の電源部３０は装置内各部にそれぞれ独立して電力を供給できるようになっており、電力を装置内各部すべてに供給する通常の電力供給モードと、画像読取部１２への電力供給を停止する第１の省電力モードに加えて、画像形成部１４への電力供給を停止する第２の省電力モードと、通信部１７と検出部１６のみに電力を供給する第３の省電力モードと、を設定できるようにしている。
【００３８】
また、実施例２の画像入出力装置では、外部装置との通信を行うために、サブＣＰＵ３３、サブプログラムＲＯＭ３４、ホストインタフェイス部３５で構成される通信部１７を追加している。
【００３９】
ＣＰＵ２２は  通信部１７内ホストインタフェイス部３５を介してホストとなるホストコンピュータ２０との通信処理が可能となっている。なお、このホストインタフェイス部３５は、ＵＳＢ２．０、ＩＥＥＥ１２８４、ＩＥＥＥ１３９４、イーサネット（登録商標）などの規格のインタフェイスであり、前記規格に従い、ホストコンピュータ２０からの画像情報の受信を行う。
【００４０】
サブＣＰＵ３３は、画像形成部１４に電力を供給している通常の電力供給モードおよび第１の省電力モードのときに、プリンタエンジン３２を制御するものであり、プリンタエンジンインタフェイス部３１を介して、モータ、各種センサ等、プリンタエンジン３２の機構制御を行う。この制御プログラムデータはプログラム用ＲＯＭ２３内に格納されている。
【００４１】
さらに、サブＣＰＵ３３は、通信部１７と検出部１６のみに電力を供給される第３の省電力モードの場合にホストインタフェイス部３５を制御するものであり、ホストインタフェイス部３５を介してホストコンピュータ２０との通信処理が可能となっている。この制御プログラムデータはサブプログラム用ＲＯＭ３４内に格納されている。
【００４２】
また、サブＣＰＵ３３はＣＰＵ２２より低消費電力のものとなっており、第３の省電力モードは画像入出力装置１の消費電力を最少にすることができる。
【００４３】
前記各省電力モードは、ＣＰＵ２２またはサブＣＰＵ３３が電源部３０へ指示を行い、電源部３０が各省電力モードの切り替えを行う。
【００４４】
また、実施例２の画像入出力装置では、検出部１６にキースイッチ３６を追加した構成となっている。このキースイッチ３６は省電力モードから復帰を指示するもので、オペレータが操作可能となっており、ＣＰＵ２２及びサブＣＰＵ３３が認識できるようにしている。なお、省電力モードから強制的な復帰を操作することを要しない場合は、キースイッチ３６を設けない構成としてもよい。
【００４５】
（動作）
以上の構成により、実施例２の画像入出力装置は以下のように動作する。この動作を図８の動作フローチャート図を用いて以下詳細に説明する。
【００４６】
まず、画像入出力装置１の電源がオンされると（ステップＳ２１）、電源部３０が装置内各部に電力供給を行う。その後、ＣＰＵ２２は各周辺ＬＳＩの初期設定、各メモリの初期化を行う。
【００４７】
このとき、サブＣＰＵ３３は、プリンタエンジンインタフェイス部３１を介して印刷準備制御を行い、その後、ＣＰＵ２２は、ホストインタフェイス部３５を介してホストとの通信を可能とし、画像入出力装置１は待機状態となる（ステップＳ２２）。この状態が通常の電力供給モードである。
【００４８】
ＣＰＵ２２は、省電力モード移行時間計測タイマとして機能するタイマ２２ａをリセットした後、起動する（ステップＳ２３）。
【００４９】
ＣＰＵ２２は、ホストインタフェイス部３５とスキャナインタフェイス部２８を介して、画像情報受信待ちとなり（ステップＳ２４）、受信していない場合はステップＳ２５に進み、受信した場合は、ステップＳ４０に進んで、受信した画像情報をプリンタエンジンインタフェイス部３１を介して、プリンタエンジン３２に転送し、印刷制御を行う。
【００５０】
ステップＳ２４にて画像情報を受信していないと判断したときは、ＣＰＵ２２はセンサ２７を監視し（ステップＳ２５）、センサ２７がオンの状態のままであれば、図４（ａ）のようにスキャナユニット２９が閉じられていると判断し、ステップＳ２６へ進む。
【００５１】
一方、センサ２７がオフの状態となったときは、図４（ｂ）のようにスキャナユニット２９が開かれたと判断し、ステップＳ３２に進む。
【００５２】
ステップＳ２５にてスキャナユニット２９が閉じられていると判断されたときは、ＣＰＵ２２は、省電力モード移行時間計測タイマを監視し、省電力モード移行のための第１の所定の時間の経過待ちとなる（ステップＳ２６）。なお、この省電力モード移行時間は装置設定情報格納用メモリ２５に格納すればよい。
【００５３】
そして、ステップＳ２６にて、第１の所定の時間を経過せずタイムアウトしてない場合はステップＳ２４に戻り、第１の所定の時間を経過しタイムアウトした場合はステップＳ２７に進む。
【００５４】
ステップＳ２６にてタイムアウトとなったときは、ＣＰＵ２２は電源部３０を制御して、プリンタエンジンインタフェイス部３１とプリンタエンジン３２からなる画像形成部１４への電力供給を遮断する（ステップＳ２７）。これが前記第２の省電力モードとなり消費電力が低減する。
【００５５】
そして、ＣＰＵ２２は、再び、省電力モード移行時間計測タイマとして機能するタイマ２２ａをリセットした後、起動し（ステップＳ２８）、ホストインタフェイス部３５とスキャナインタフェイス部２８を介した画像情報受信待ちとなり（ステップＳ２９）、画像情報を受信していない場合はステップＳ３０に進み、受信している場合は、ＣＰＵ２２により電源部３０を制御して、プリンタエンジンインタフェイス部３１とプリンタエンジン３２からなる前記画像形成部１４への電力供給し（ステップＳ３９）、ステップＳ４０に進み、受信した画像情報を印刷制御し、ステップＳ２３に戻る。
【００５６】
そして、ＣＰＵ２２にてセンサ２７を監視し（ステップＳ３０）、センサ２７がオンの状態のままであれば、図４（ａ）のようにスキャナユニット２９が閉じられていると判断し、ステップＳ３１へ進む。一方、センサ２７がオフの状態となったときは、図４（ｂ）のようにスキャナユニット２９が開かれたと判断し、ステップＳ３２に進む。
【００５７】
そして、ＣＰＵ２２は、省電力モード移行時間計測タイマを監視し、省電力モード移行のための第２の所定の時間の経過待ちとなり（ステップＳ３１）、第２の所定の時間が経過せずタイムアウトしてない場合はステップＳ２９に戻り、第２の所定の時間が経過しタイムアウトした場合はステップＳ３２に進む。
【００５８】
そして、ＣＰＵ２２はサブＣＰＵ３３に対し、サブプログラム用ＲＯＭ３４にて初期化するよう設定し、ホストインタフェイス部２９の制御をやめて、サブＣＰＵ２７をリセットする。その後、サブＣＰＵ３３はサブプログラム用ＲＯＭ３４内のプログラムにて立ち上がり、ホストインタフェイス部３５の制御をはじめる。
【００５９】
その後、サブＣＰＵ３３は電源部３０を制御して、通信部１７と検出部１６以外の、ＣＰＵ２２、プログラム用ＲＯＭ２３、データ蓄積用メモリ２４、制御部１３の装置設定情報格納用メモリ２５とスキャナインタフェイス部２８、画像読取部１２のスキャナユニット２９および画像形成部１４のプリンタエンジンインタフェイス部３１とプリンタエンジン３２への電力供給を遮断する（ステップＳ３２）。これが前記第３の省電力モードとなり、前記第２の省電力モードと比しさらに消費電力が低減する。
【００６０】
その後、サブＣＰＵ３３はホストインタフェイス部３５を介して、画像情報受信待ちもしくはキースイッチ３６の操作待ちとなり、画像情報受信およびキースイッチ３６の操作もないときはそのまま画像情報受信またはキースイッチ３６の操作を待つ（ステップＳ３３）。
【００６１】
そして、ステップＳ３３にて画像情報を受信もしくはキースイッチ３６が操作されると、サブＣＰＵ３３はセンサ２７を監視し（ステップＳ３４）、センサ２７がオンの状態であれば、図４（ａ）のようにスキャナユニット２９が閉じられていると判断し、ステップＳ３６へ進む。一方、センサ２７がオフの状態であれば図４（ｂ）のようにスキャナユニット２９が開かれたと判断し、ステップＳ３５に進む。
【００６２】
ステップＳ３５では、サブＣＰＵ３３は、電源部３０を制御して装置内各部すべてに電力を供給する。これが通常の電力供給モードとなり、消費電力は増加する。
【００６３】
一方、ステップＳ３６ではサブＣＰＵ３３は電源部３０を制御して印刷処理実行可能な状態にするように画像読取部１２以外の装置内各部に電力を供給する。この省電力モードは前記第１の省電力モードである。
【００６４】
その後、ＣＰＵ２２が起動して、初期化し処理可能な状態となると、サブＣＰＵ３３と通信を行い、ホストインタフェイス部３５のデータ処理を引き継ぎ、ＣＰＵ２２は、サブＣＰＵ３３から処理を引き継ぐと、サブＣＰＵ３３に対し、プログラム用ＲＯＭ２３にて初期化するよう設定し、サブＣＰＵ３３をリセットする。
【００６５】
その後、サブＣＰＵ３３はプログラム用ＲＯＭ２３内のプログラムにて立ち上がり、プリンタエンジンインタフェイス部３１を介してプリンタエンジン部２１２の制御をはじめる（ステップＳ３７）。
【００６６】
そして、受信した画像情報があるかどうかを判定し（ステップＳ３８）、画像情報があるときは、ステップＳ３３の判定にてキースイッチ３６の操作ではなく画像情報を受信したと判断し、ステップＳ４０に進み、画像情報の印刷制御を行い、ステップＳ２３に戻る。
【００６７】
一方、受信した画像情報がない場合は、ステップＳ３３の判定にてオペレータが省電力モードを復帰させるためにキースイッチ３６の操作をしたと判断し、画像情報の印刷制御を行うことなく、そのままステップＳ２３に戻る（ステップＳ３８）。
【００６８】
なお、以上の実施例の説明では、スキャナユニット２９が閉じた状態でかつ画像情報受信がない待機状態が第１の所定の時間経過したときは画像形成部１４への電力供給を停止する第２の省電力モードとし、さらに前記待機状態が第２の所定の時間経過したときは、通信部および検出部以外への電力供給を停止する第３の省電力モードとするように説明したが、ステップＳ２６〜Ｓ３０、ステップＳ３９をスキップし画像形成部１４への電力供給はそのままとし、前記待機状態が第１および第２の所定の時間を経過したときに通常の電力供給モードから前記第３の省電力モードとするようにしてもよい。
【００６９】
（実施例２の効果）
以上詳細に述べたように、実施例２の画像入出力装置によれば、スキャナユニットの開閉を検出するセンサと、スキャナユニットが閉じた状態でかつ画像情報受信がない待機状態を計測するタイマと、省電力モードから復帰を指示するスイッチを備え、画像形成部への電力供給を停止する第２の省電力モードと、通信部および検出部以外への電力を停止する第３の省電力モードを設け、前記待機状態が第１の所定の時間を経過したときは前記画像形成部への電力供給を停止する第２の省電力モードとし、さらに前記待機状態が第２の所定の時間を経過したとき、または、前記検出部により前記画像読取部が開いた状態を検出したときは、前記通信部と前記検出部のみに電力を供給する第３の省電力モードとするようにしたので、さらに無駄な消費電力を削減することができる。
【産業上の利用可能性】
【００７０】
本発明は、画像の読取りおよび印刷可能なファクシミリ装置、複写機、複合機等の画像入出力装置に広く用いることができる。
【符号の説明】
【００７１】
１    画像入出力装置
２    操作部
５    スキャナ部
６    プリンタ部
１２  画像読取部
１３  制御部
１３ａ  判断部
１３ｂ  タイマ部
１４  画像形成部
１５  電力供給部
１６  検出部
２０  ホストコンピュータ
２２  ＣＰＵ
２３  プログラム用ＲＯＭ
２４  データ蓄積用メモリ
２５  装置設置情報格納用メモリ
２７  センサ
２８  スキャナインタフェイス
２９  スキャナユニット
３０  電源部
３１  プリンタエンジンインタフェイス部
３２  プリンタエンジン
３３  サブＣＰＵ
３４  サブプログラム用ＲＯＭ
３５  ホストインタフェイス部
【図１】
0005473845.tif 000002
【図２】
0005473845.tif 000003
【図３】
0005473845.tif 000004
【図４】
0005473845.tif 000005
【図５】
0005473845.tif 000006
【図６】
0005473845.tif 000007
【図７】
0005473845.tif 000008
【図８】
0005473845.tif 000009